【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
記録媒体上の同一領域に対して、Ｎ回（Ｎは３以上の整数）記録することにより、前記記録媒体上に画像を形成するための画像処理装置であって、
入力画像データを前記記録の各々に分割して得られる各記録の記録データごとに、対応する記録に割り当てられた記録データの上限を示す上位記録データと前記記録データの下限を示す下位記録データとを設定する記録データ設定手段と、
ドット分散型の閾値マトリクスを用いることにより、前記上位記録データと前記下位記録データとに基づいて、前記記録それぞれに対応するハーフトーン画像データを生成するハーフトーン処理手段とを有し、
前記ハーフトーン処理手段は、
処理対象の記録に対応する前記ハーフトーン画像データについて、前記ハーフトーン画像データにおける注目画素の画素位置に対応する前記閾値マトリクスにおける閾値を参照し、前記上位記録データにおける前記注目画素の画素値が前記閾値より大きく、かつ前記下位記録データにおける前記注目画素の画素値が前記閾値より小さい場合に、前記処理対象の記録に対応する前記ハーフトーン画像データにおける前記注目画素の値としてドットがオンになる値を決定することを特徴とする画像処理装置。
【請求項２】
前記ハーフトーン処理手段は、同一領域におけるｐ回目（２≦ｐ≦Ｎ−１）の記録までに対応する前記ハーフトーン画像データを累積してできるドットパターンの分散性が高くなるように、前記ｐ回目のハーフトーン画像データを生成することを特徴とする請求項１に記載の画像処理装置。
【請求項３】
前記ハーフトーン処理手段は、前記画像が形成されるまでの全ての累積したドットパターンにおいて分散性が高くなるように、Ｎ回の記録それぞれに対応するハーフトーン画像データを生成することを特徴とする請求項１または２に記載の画像処理装置。
【請求項４】
前記ハーフトーン処理手段は、前記記録データ毎に同一の閾値マトリクスを用いたディザ法を行うことを特徴とする請求項１乃至３の何れか一項に記載の画像処理装置。
【請求項５】
前記ハーフトーン処理手段は、前記記録データ毎に異なる閾値マトリクスを用いたディザ法を行うことを特徴とする請求項１乃至３の何れか一項に記載の画像処理装置。
【請求項６】
前記閾値マトリクスは、前記ｐ回目の記録走査にまでに対応するハーフトーン画像データのそれぞれを累積したドットパターンが、分散性が高くなるように最適化されたマトリクスであることを特徴とする請求項５に記載の画像処理装置。
【請求項７】
記録媒体上の同一領域に対して、Ｎ回（Ｎは３以上の整数）記録することにより、前記記録媒体上に画像を形成するための画像処理装置であって、
入力画像データを前記記録の各々に分割して得られる各記録の記録データごとに、対応する記録に割り当てられた記録データの上限を示す上位記録データと前記記録データの下限を示す下位記録データとを設定する記録データ設定手段と、
ドット分散型の閾値マトリクスを用いて、前記記録それぞれに対応する前記上位記録データと前記下位記録データに対してハーフトーン処理を実行するハーフトーン処理手段と、
対応する記録ごとに、前記上位記録データに対してハーフトーン処理した結果と前記下位記録データに対してハーフトーン処理した結果との差分に基づいて、各記録に対応するハーフトーン画像データを生成する生成手段とを有することを特徴とする画像処理装置。
【請求項８】
前記記録データ設定手段は、ルックアップテーブルを用いることにより、入力画像データをＮ回分の上位記録データおよび下位記録データを設定することを特徴とする請求項１乃至７の何れか一項に記載の画像処理装置。
【請求項９】
前記記録データ設定手段は、前記入力画像データに対して分割率により分割された記録データに基づいて、前記上位記録データと前記下位記録データを設定することを特徴とする請求項１乃至８のいずれか一項に記載の画像処理装置。
【請求項１０】
同一領域におけるｐ回目（２≦ｐ≦Ｎ−１）の記録に対応する下位記録データは、（ｐー１）回目に対応する上位記録データと同じであることを特徴とする請求項１乃至９の何れか一項に記載の画像処理装置。
【請求項１１】
請求項１乃至１０のいずれか一項に記載の画像処理装置により生成されたハーフトーン画像データに基づいて、前記記録媒体上にインクジェット方式により画像を記録することを特徴とする画像形成装置。
【請求項１２】
コンピュータ装置を制御して、請求項１から請求項１０の何れか一項に記載された画像処理装置の各手段として機能させることを特徴とするコンピュータプログラム。
【請求項１３】
記録媒体上の同一領域に対して、Ｎ回（Ｎは３以上の整数）記録することにより、前記記録媒体上に画像を形成するための画像処理方法であって、
入力画像データを前記記録の各々に分割して得られる各記録の記録データごとに、対応する記録に割り当てられた記録データの上限を示す上位記録データと前記記録データの下限を示す下位記録データとを設定し、
ドット分散型の閾値マトリクスを用いて、処理対象の記録に対応する前記ハーフトーン画像データについて、前記ハーフトーン画像データにおける注目画素の画素位置に対応する前記閾値マトリクスにおける閾値を参照し、前記上位記録データにおける前記注目画素の画素値が前記閾値より大きく、かつ前記下位記録データにおける前記注目画素の画素値が前記閾値より小さい場合に、前記処理対象の記録に対応する前記ハーフトーン画像データにおける前記注目画素の値としてドットがオンになる値を決定することにより、前記記録それぞれに対応するハーフトーン画像データを生成することを特徴とする画像処理方法。
【請求項１４】
記録媒体上の同一領域に対して、Ｎ回（Ｎは３以上の整数）記録することにより、前記記録媒体上に画像を形成するための画像処理方法であって、
入力画像データを前記記録の各々に分割して得られる各記録の記録データごとに、対応する記録に割り当てられた記録データの上限を示す上位記録データと前記記録データの下限を示す下位記録データとを設定し、
ドット分散型の閾値マトリクスを用いて、前記記録それぞれに対応する前記上位記録データと前記下位記録データに対してハーフトーン処理を実行し、
対応する記録ごとに、前記上位記録データに対してハーフトーン処理した結果と前記下位記録データに対してハーフトーン処理した結果との差分に基づいて、各記録に対応するハーフトーン画像データを生成することを特徴とする画像処理方法。
【手続補正２】
【補正対象書類名】明細書
【補正対象項目名】０００９
【補正方法】変更
【補正の内容】
【０００９】
上記課題を解決するために、本発明は、記録媒体上の同一領域に対して、Ｎ回（Ｎは３以上の整数）記録することにより、前記記録媒体上に画像を形成するための画像処理装置であって、入力画像データを前記記録の各々に分割して得られる各記録の記録データごとに、対応する記録に割り当てられた記録データの上限を示す上位記録データと前記記録データの下限を示す下位記録データとを設定する記録データ設定手段と、ドット分散型の閾値マトリクスを用いることにより、前記上位記録データと前記下位記録データとに基づいて、前記記録それぞれに対応するハーフトーン画像データを生成するハーフトーン処理手段とを有し、前記ハーフトーン処理手段は、処理対象の記録に対応する前記ハーフトーン画像データについて、前記ハーフトーン画像データにおける注目画素の画素位置に対応する前記閾値マトリクスにおける閾値を参照し、前記上位記録データにおける前記注目画素の画素値が前記閾値より大きく、かつ前記下位記録データにおける前記注目画素の画素値が前記閾値より小さい場合に、前記処理対象の記録に対応する前記ハーフトーン画像データにおける前記注目画素の値としてドットがオンになる値を決定することを特徴とする。